(57)【特許請求の範囲】
【請求項１】
頂部に開閉可能な進入開口を有する有底筒体からなるマンホールと、
前記マンホールの内部空間を下部汚水貯留空間と上部作業空間に仕切り、かつ上面に作業床面を形成する気密隔壁と、
外部から汚水を前記下部汚水貯留空間内に流入させる汚水流入配管と、
前記下部汚水貯留空間内の前記汚水を外部に排出するための汚水排出ポンプとを具備したマンホールポンプ施設において、
前記気密隔壁の一部を下方に凹設して前記下部汚水貯留空間内の前記汚水中に浸漬可能な有底筒状の凹部隔壁を形成し、前記凹部隔壁の底板上に前記汚水排出ポンプを設置したことを特徴とするマンホールポンプ施設。
【請求項２】
頂部に開閉可能な進入開口を有する有底筒体からなるマンホールと、
前記マンホールの内部空間を下部汚水貯留空間と上部作業空間に仕切り、かつ上面に作業床面を形成する気密隔壁と、
外部から汚水を前記下部汚水貯留空間内に流入させる汚水流入配管と、
前記下部汚水貯留空間内の前記汚水を外部に排出するための汚水排出ポンプとを具備したマンホールポンプ施設において、
前記気密隔壁の一部を上方に凸設して凸設部を形成し、該凸設部の内側に前記下部汚水貯留空間内の前記汚水が流入する余裕空間を形成し、前記余裕空間内の前記汚水の水位を前記汚水排出ポンプのポンプ部より上方まで上昇可能としたことを特徴とするマンホールポンプ施設。
【発明の詳細な説明】
【０００１】
【発明の属する技術分野】
本発明は、下水処理に用いられるマンホールポンプ施設に関する。
【０００２】
【従来の技術】
下水道は、生活環境の改善や水質の保全を図る上から、不可欠な生活基盤の一部となっており、その普及は、都市部から農山漁村部へと移行している。このような地域は、自然環境や社会環境が都市部と異なり、下水道施設もその地域にあった小規模な施設を必要としている。現在マンホールポンプ施設もそのような小規模施設として普及しつつある。
【０００３】
図３に、従来におけるマンホールポンプ施設９０の一具体例を示す。図示するように、地中に有底筒状のマンホール９１が埋設されており、その頂部に設けた進入開口８８には蓋体（マンホール蓋）８９が取り付けられる。マンホール９１の底部９２上には汚水排出ポンプ９３が配設されている。また、マンホールの側壁にはマンホール９１に内に汚水９４を流入させるための汚水流入配管９５が開口している。また、汚水排出ポンプ９３の流出口にはマンホール９１の外部と連絡する汚水吐出管９６が接続されている。
【０００４】
さらに、マンホール９１の側壁内面にはガイドロッド９７が同内面と平行にかつ垂直方向に伸延した状態で配設されている。そして、汚水排出ポンプ９３に基端を取り付けたガイド部材９８の先端がガイドロッド９７に上下方向に摺動自在に取り付けられている。また、マンホール９１の側壁内面には上下方向に一定の間隔を空けて複数のステップ９９が取り付けられている。なお、図中におけるその他の構成要素について説明すると、１００〜１０３は汚水吐出管９６や汚水排出ポンプ９３に取り付けられた各種弁を示しており、１００は仕切弁、１０１は逆止弁、１０２は通気弁、１０３は簡易エア抜き弁を示す。また、１０４は汚水排出ポンプ９３を吊り上げるために用いられる吊りチェーンを示す。
【０００５】
次に上記した構成を有するマンホールポンプ施設９０の作動について説明すると、汚水流入配管９５を通してマンホール９１内に流入した汚水９４は中継施設としてのマンホール９１内の下部に貯留される。その後、汚水排出ポンプ９３を駆動することによって、貯留された汚水を、汚水吐出管９６を通してマンホールポンプ施設９０の下流側に排出することができる。また、汚水排出ポンプ９３が故障した場合は、作業者が侵入開口８８を通してマンホール９１内に入り、吊りチェーン１０４を図示しないクレーンから降ろしてきた吊り具（図示しない）に係合し、クレーンを作動させることによって汚水排出ポンプ９３をマンホール９１の外部に取り出し補修を行う。なお、図３において、１０５は吊りチェーン１０４を係止するためのフックである。
【０００６】
【発明が解決しようとする課題】
しかし、このような従来のマンホールポンプ施設９０は、未だ、以下の解決すべき課題を有していた。即ち、従来のマンホールポンプ施設９０においては、汚水排出ポンプ９３を補修するに際して、作業者がマンホール９１内に進入して、吊りチェーン１０４を吊り具１０５に係合したり、汚水排出ポンプ９３をガイドロッド９７から切り離す等の作業を行わねばならない。しかし、マンホール９１内は汚水９４により悪臭が充満しており、かつ有毒ガスが発生している可能性があり、作業者は、劣悪かつ危険な環境下での補修作業を強いられることになる。
【０００７】
また、作業者は、このような補修作業を、十分な足場を確保できない状態、即ち、ステップ９９のみを用いて行わねばならず、その面でも補修作業の安全性を確保することが困難であった。本発明は、このような課題を解決するためになされたものであり、作業環境を悪臭や有毒ガスから完全に遮断して、補修作業などを安全かつ快適に行うことができると共に、十分な足場をマンホール内に確保して、安全かつ自在に補修作業などを行うことができるマンホールポンプ施設を提供することを目的とするものである。
【０００８】
【課題を解決するための手段】
上記目的を達成するための本発明に係るマンホールポンプ施設は、頂部に開閉可能な進入開口を有する有底筒体からなるマンホールと、マンホールの内部空間を下部汚水貯留空間と上部作業空間に仕切り、かつ上面に作業床面を形成する気密隔壁と、外部から汚水を下部汚水貯留空間内に流入させる汚水流入配管と、下部汚水貯留空間内の汚水を外部に排出するための汚水排出ポンプとを具備したマンホールポンプ施設において、前記気密隔壁の一部を下方に凹設して前記下部汚水貯留空間内の前記汚水中に浸漬可能な有底筒状の凹部隔壁を形成し、前記凹部隔壁の底板上に前記汚水排出ポンプを設置したことを特徴とする。
【０００９】
上記したように、上部作業空間は汚水が流入する下部汚水貯留空間から完全に気密状態で遮断されている。従って、下部汚水貯留空間において発生する悪臭や有毒ガスが上部作業空間内に流入することがなく、作業者は汚水排出ポンプの補修作業などを安全、容易かつ快適に行うことができる。しかも、気密隔壁は、その上面に十分な広さの作業床面を形成することができるので、作業者は、十分な足場を確保しながら、汚水排出ポンプの補修作業等を行うことができ、この面からも補修作業の安全性を十分に確保できる。さらに、単にマンホール内部を気密隔壁によって二分割するのみでマンホールポンプ施設を構築できるので、安価に安全かつ快適な作業環境を有するマンホールポンプ施設を構築できる。
【００１０】
さらに、気密隔壁の一部を下方に凹設して下部汚水貯留空間内の汚水中に浸漬可能な有底筒状の凹部隔壁を形成し、凹部隔壁の底板上に汚水排出ポンプを設置したことにより、下部汚水貯留空間内の汚水の水位が、凹部隔壁の周側面とマンホールの内周面との間に形成される余裕空間内を上昇し、同水位が汚水排出ポンプのポンプ部より上方に位置すると、連通管現象によって汚水排出ポンプポンプ部内にも汚水が自動的に流入することになる。従って、汚水排出ポンプとして、構造が複雑で繊維質のゴミで閉塞する可能性がある自吸式ポンプを使用する必要がなく、自吸式でないが繊維質のゴミに対応できる無閉塞ポンプを使用することができるので、より信頼性のあるマンホールポンプ施設を構築することができる。
【００１１】
また、上記目的を達成するための本発明に係るマンホールポンプ施設は、頂部に開閉可能な進入開口を有する有底筒体からなるマンホールと、マンホールの内部空間を下部汚水貯留空間と上部作業空間に仕切り、かつ上面に作業床面を形成する気密隔壁と、外部から汚水を下部汚水貯留空間内に流入させる汚水流入配管と、下部汚水貯留空間内の汚水を外部に排出するための汚水排出ポンプとを具備したマンホールポンプ施設において、気密隔壁の一部を上方に凸設して凸設部の内側に下部汚水貯留空間内の汚水が流入する余裕空間を形成し、余裕空間内の汚水の水位を汚水排出ポンプのポンプ部より上方まで上昇可能としたことにも特徴を有する。
このように、凸設部の内側に下部汚水貯留空間内の汚水が流入する余裕空間を形成し、余裕空間内の汚水の水位を汚水排出ポンプのポンプ部より上方まで上昇可能としたことにより、下部汚水貯留空間内の汚水の水位が余裕空間内を上昇し、同水位が汚水排出ポンプのポンプ部より上方に位置すると、連通管現象によって汚水排出ポンプのポンプ部内にも汚水が自動的に流入することになる。従って、汚水排出ポンプとして、構造が複雑で繊維質のゴミで閉塞する可能性がある自吸式ポンプを使用する必要がなく、自吸式でないが繊維質のゴミに対応できる無閉塞ポンプを使用することができるので、より信頼性のあるマンホールポンプ施設を構築することができる。
【００１２】
【発明の実施の態様】
まず、本実施の形態に係るマンホールポンプ施設４０の構成について図１を参照して説明する。
【００１３】
図示するように、本発明に係るマンホールポンプ施設４０は、実質的に、地中に埋設され、頂部に開閉可能な進入開口１１を有する有底筒体からなるマンホール１２と、マンホール１２の内部空間を下部汚水貯留空間１３と上部作業空間１４に仕切り、かつ上面に作業床面１５を形成する気密隔壁１６と、外部から汚水１８を下部汚水貯留空間１３内に流入させる汚水流入配管１７と、下部汚水貯留空間１３内の汚水１８を外部に排出するための汚水排出ポンプ１９とを具備する。
【００１４】
次に、上記した基本的構成を有するマンホールポンプ施設４０の各構成要素について詳細に説明する。図示するように、マンホール１２は、好ましくは中空筒状のコンクリート二次製品からなり、その頂部に設けた進入開口１１は、地上面２０と面一状態になっている。また、進入開口１１には、開閉蓋(マンホール蓋)２１が着脱自在に取り付けられている。
【００１５】
気密隔壁１６は、図示しない補強リブを下面に取り付けた板からなり、その周縁部を所望の接合手段(溶接、ボルトなど)によってマンホール１２の内周面に接合されている。また、気密隔壁１６は、汚水１８から発生する有毒ガスまたは汚水１８の付着による腐食を防止するため、このましくはステンレス鋼板などの耐食性を有する板材から形成する。
【００１６】
汚水流入配管１７は、図示の実施例では、上部作業空間１４を介することなく、直接下部汚水貯留空間１３の上部に開口している。
【００１７】
また、本実施の形態に係るマンホールポンプ施設４０は、図１に示すように、気密隔壁１６の少なくとも一部を下方に凹設して下部汚水貯留空間１３内の汚水１８中に浸漬可能な有底筒状の凹部隔壁４１を形成し、作業床面１５を上面に形成する凹部隔壁４１の底板４２上に汚水排出ポンプ１９を設置している。汚水排出ポンプ１９の吸引開口部には、下部汚水貯留空間１３内の汚水１８中を下方に向けて伸延する汚水吸上管２４の上端開口部が接続されている。また、汚水吸上管２４の下端開口部はマンホール１２の底部近傍で開口している。一方、汚水排出ポンプ１９の排出開口部は、マンホールポンプ施設４０の下流側配管を構成する汚水排出管２９の上流側と、エア抜き弁３０、逆止弁３２及び仕切弁３３を介して連通連結されている。
さらに、本実施の形態では、上記作業空間１４内において、マンホール１２の内周面であって、進入開口１１の直下方をなす部分に、上下方向に所定の間隔を空けて複数のステップ３１が取り付けられている。
【００１８】
このように、本実施の形態では、凹部隔壁４１の底板４２上に汚水排出ポンプ１９を設置したことにより、下部汚水貯留空間１３内の汚水１８の水位４７が、凹部隔壁４１の外周面４３とマンホール１２の周壁４４の内周面との間に形成される余裕空間４５内を上昇し、同水位４７が汚水排出ポンプ１９のポンプ部４６より上方に位置すると、連通管現象によって汚水排出ポンプ１９のポンプ部４６内にも汚水１８が自動的に流入することになる。従って、汚水排出ポンプ１９として、構造が複雑で繊維質のゴミで閉塞する可能性がある自吸式ポンプを使用する必要がなく、自吸式でないが繊維質のゴミに対応できる無閉塞ポンプを使用することができるので、より信頼性のあるマンホールポンプ施設を構築することができる。また、この際、水位センサで、汚水排出ポンプ１９のポンプ部４６内に汚水１８が自動的に流入したことを検出し、検出信号に基づいて汚水排出ポンプ１９を駆動して汚水を自動的に排出することができる。
【００１９】
なお、気密隔壁１６の凹設形態は、図１に示す形態に何ら限定されるものではなく、例えば、気密隔壁１６を段丘状とした形態、気密隔壁１６の中央部を隆起すると共に中央部の周りの環状周縁部を凹設した形態や、気密隔壁１６を水平方向に交互に凹凸とした形態や、気密隔壁１６を階段状とした形態とすることができる。
【００２０】
また、本実施の形態では、図２に示すように、気密隔壁１６の中央部に開口部４８を設け、その周囲に設けた環状台座４９上にポンプ取付板５０をボルト等で固定し、ポンプ取付板５０上に仕切り弁５１をボルト等で固定し、さらにポンプ取付板５０の下面中央部に汚水吸上管２４の上端開口部５２を一体的に連通連結すると共に、仕切り弁５１の上面に汚水排出ポンプ１９を、その吸引開口部５３が汚水吸上管２４の上端開口部５２と整合する状態でボルト等を用いて固定載置している。
【００２１】
このような構成とすることによって、汚水排出ポンプ１９をマンホールポンプ施設４０から取り出して補修する必要がある場合であっても、仕切り弁５１を閉弁した後、仕切り弁５１から汚水排出ポンプ１９を容易かつ迅速に取り外して、補修を行うことができる。なお、仕切り弁５１から汚水排出ポンプ１９を取り外しても、仕切り弁５１が閉弁状態なので、悪臭や有毒ガス等の上部作業空間１４への流入を確実に防止することができる。なお、本実施の形態では、図１に示すように、凹部隔壁４１の底板４２の隅部には結露捕集用溝５４が設けられており、結露捕集用溝５４内には逆止弁５５を具備する結露水排出配管５６を介して結露水を下部汚水貯留空間１３内に流出する結露水排出用ポンプ５７が配設されている。また、５８はベント管である。
【００２２】
さらに、図１に示すように気密隔壁１６の一部を凹設する代わりに、気密隔壁１６の一部を上方に凸設して凸設部を形成し、該凸設部の内側に下部汚水貯留空間１３内の汚水１８が流入する余裕空間を形成し、余裕空間内の汚水１８の水位を汚水排出ポンプ１９のポンプ部〈ポンプケーシング〉より上方まで上昇可能としたことにも特徴を有する。この場合、汚水流入配管１７を拡径して、その内部に余裕空間を形成するようにしてもよい。
【００２３】
このように、凸設部の内側に下部汚水貯留空間１３内の汚水１８が流入する余裕空間を形成し、余裕空間内の汚水１８の水位を汚水排出ポンプ１９のポンプ部より上方まで上昇可能としたことにより、下部汚水貯留空間１３内の汚水１８の水位が余裕空間内を上昇し、同水位が汚水排出ポンプ１９のポンプ部より上方に位置すると、連通管現象によって汚水排出ポンプ１９のポンプ部内にも汚水１８が自動的に流入することになる。従って、汚水排出ポンプ１９として、構造が複雑で繊維質のゴミで閉塞する可能性がある自吸式ポンプを使用する必要がなく、自吸式でないが繊維質のゴミに対応できる無閉塞ポンプを使用することができるので、より信頼性のあるマンホールポンプ施設を構築することができる。
【図面の簡単な説明】
【図１】本発明の実施の形態に係るマンホールポンプ施設の構成説明図である。
【図２】本発明の実施の形態に係るマンホールポンプ施設における汚水排出ポンプの分離構造の拡大説明図である。
【図３】従来のマンホールポンプ施設の構成説明図である。
【符号の説明】
１１  進入開口
１２  マンホール
１３  下部汚水貯留空間
１４  上部作業空間
１５  作業床面
１６  気密隔壁
１７  汚水流入配管
１８  汚水
１９  汚水排出ポンプ
２０  地上面
２１  開閉蓋（マンホール蓋）
２３  吸上管挿通開口部
２４  汚水吸上管
２９  汚水排出管
３０  エア抜き弁
３１  ステップ
３２  逆止弁
３３  仕切弁
４０  マンホールポンプ施設
４１  凹部隔壁
４２  底板
４３  外周面
４４  周壁
４５  余裕空間
４６  ポンプ部
４７  水位
４８  開口部
４９  環状台座
５０  ポンプ取付板
５１  仕切り弁
５２  上端開口部
５３  吸引開口部
５４  結露捕集用溝
【図１】
0003696565.tif 000002
【図２】
0003696565.tif 000003
【図３】
0003696565.tif 000004